【手続補正書】
【提出日】平成30年9月7日(2018.9.7)
【手続補正１】
【補正対象書類名】明細書
【補正対象項目名】００１２
【補正方法】変更
【補正の内容】
【００１２】
【図１】本技術の一実施の形態に係る表示装置の概略構成図である。
【図２】表示パネルの回路構成の一例を表す図である。
【図３】各サブ画素の回路構成の一例を表す図である。
【図４】表示パネルの配線レイアウトの一例を表す図である。
【図５】各画素回路の配線レイアウトの一例を表す図である。
【図６】消光から発光までの間の信号波形の一例を表す図である。
【図７】消光から発光までの間の信号波形の一例を表す図である。
【図８】表示パネルに適用される発光制御の一例を表す図である。
【図９】表示パネルに適用される発光制御の一例を表す図である。
【図１０】比較例に係る表示パネルの回路構成の一例を表す図である。
【図１１】比較例に係る表示パネルに適用される発光制御の一例を表す図である。
【図１２】比較例に係る表示パネルに適用される発光制御の一例を表す図である。
【図１３】表示パネルの回路構成の一変形例を表す図である。
【図１４】表示パネルの回路構成の一変形例を表す図である。
【図１５】表示パネルの回路構成の一変形例を表す図である。
【図１６】上記実施の形態の表示装置の一適用例の外観を表す斜視図である。
【手続補正２】
【補正対象書類名】明細書
【補正対象項目名】００１７
【補正方法】変更
【補正の内容】
【００１７】
各画素１１は、複数のサブ画素１２を有しており、具体的には、図２に示したように、４つのサブ画素１２で構成されている。４つのサブ画素１２は、２ｘ２の行列で配置されている。４つのサブ画素１２は、例えば、サブ画素１２Ｒ，１２Ｇ，１２Ｂ，１２Ｗで構成されている。サブ画素１２Ｒは、赤色光を発する画素である。サブ画素１２Ｇは、緑色光を発する画素である。サブ画素１２Ｂは、青色光を発する画素である。サブ画素１２Ｗは、白色光を発する画素である。なお、本明細書では、各画素１１に含まれる４つのサブ画素１２が、サブ画素１２Ｒ，１２Ｇ，１２Ｂ，１２Ｗで構成されているものとして、表示パネル１０の説明を行う。ただし、本明細書において、各画素１１に含まれる４つのサブ画素１２は、上記の要素とは異なる要素によって構成されていてもよい。各画素１１に含まれる４つのサブ画素１２は、例えば、１つのサブ画素１２Ｒ、２つのサブ画素１２Ｇおよび１つのサブ画素１２Ｂで構成されていてもよし、１つのサブ画素１２Ｒ、１つのサブ画素１２Ｇおよび２つのサブ画素１２Ｂで構成されていてもよい。
【手続補正３】
【補正対象書類名】明細書
【補正対象項目名】００１９
【補正方法】変更
【補正の内容】
【００１９】
奇数番目の各画素行（上から１画素行目、３画素行目、・・・）には、複数の電源線ＤＳＬのうち所定の複数の電源線ＤＳＬａが割り当てられている。各電源線ＤＳＬａは、互いに電気的に接続されており、互いに同電位となっている。電源線ＤＳＬａが、本技術の「第１電源線」の一具体例に対応する。偶数番目の各画素行（上から２画素行目、４画素行目、・・・）には、複数の電源線ＤＳＬのうち所定の複数の電源線ＤＳＬｂが割り当てられている。各電源線ＤＳＬｂは、互いに電気的に接続されており、互いに同電位となっている。電源線ＤＳＬｂが、本技術の「第２電源線」の一具体例に対応する。各電源線ＤＳＬａと、各電源線ＤＳＬｂとは、互いに電気的に分離されており、互いに独立に駆動される。複数の電源線ＤＳＬａは、例えば、偶数番目の電源線ＤＳＬ（上から２番目の電源線ＤＳＬ、４番目の電源線ＤＳＬ、・・・）である。さらに、複数の電源線ＤＳＬｂは、例えば、奇数番目の電源線ＤＳＬ（上から１番目の電源線ＤＳＬ、３番目の電源線ＤＳＬ、・・・）である。なお、複数の電源線ＤＳＬａは、奇数番目の電源線ＤＳＬであってもよい。このとき、複数の電源線ＤＳＬｂは、偶数番目の電源線ＤＳＬであってもよい。
【手続補正４】
【補正対象書類名】明細書
【補正対象項目名】００２７
【補正方法】変更
【補正の内容】
【００２７】
図４は、表示パネル１０の配線レイアウトの一例を表したものである。図５は、画素回路１３の配線レイアウトの一例を表したものである。各電源線ＤＳＬａおよび電源線ＤＳＬｂは、各信号線ＤＴＬと同一の層内に配置されている。各電源線ＤＳＬａは、奇数番目の各画素行において割り当てられた２つの画素１１に含まれる各サブ画素１２に、導電性の半導体層１５Ａを介して電気的に接続されている。各電源線ＤＳＬｂは、偶数番目の各画素行において割り当てられた２つの画素１１に含まれる各サブ画素１２に、導電性の半導体層１５Ｂを介して電気的に接続されている。半導体層１５Ａ，１５Ｂは、駆動トランジスタＴｒ１のソース・ドレイン領域１７Ｂと同一の層内に形成されている。半導体層１５Ａ，１５Ｂは、例えば、駆動トランジスタＴｒ１のソース・ドレイン領域１７Ｂと共通の半導体層で構成されている。半導体層１５Ａは、コンタクトホールＨ４を介して電源線ＤＳＬａに接続されている。半導体層１５Ｂは、コンタクトホールＨ４を介して電源線ＤＳＬｂに接続されている。
【手続補正５】
【補正対象書類名】明細書
【補正対象項目名】００５４
【補正方法】変更
【補正の内容】
【００５４】
一方、表示装置１では、奇数番目の各画素行に割り当てられた各電源線ＤＳＬａが互いに電気的に接続され、偶数番目の各画素行に割り当てられた各電源線ＤＳＬｂが互いに電気的に接続されている。従って、各電源線ＤＳＬａに対して１つの電源２３Ａを用意し、各電源線ＤＳＬｂに対して１つの電源２３Ｂを用意すればよいので、電源スキャナを用意する必要がない。また、奇数番目の各画素行の発光制御と、偶数番目の各画素行の発光制御とを互いに独立に行うことができるので、例えば、１Ｆ期間を前半と後半の２つの期間に分け、奇数画素行と偶数画素行とで交互に発光を行うことが可能である。その結果、フリッカーによる発光ちらつきを抑えた狭額縁の表示パネル１０を実現することができる。
【手続補正６】
【補正対象書類名】明細書
【補正対象項目名】００６１
【補正方法】変更
【補正の内容】
【００６１】
奇数番目の各画素行（上から１画素行目、３画素行目、・・・）には、複数の電源線ＤＳＬのうち所定の複数の電源線ＤＳＬａが割り当てられている。偶数番目の各画素行（上から２画素行目、４画素行目、・・・）には、複数の電源線ＤＳＬのうち所定の複数の電源線ＤＳＬｂが割り当てられている。複数の電源線ＤＳＬａは、例えば、偶数番目の電源線ＤＳＬ（上から２番目の電源線ＤＳＬ、４番目の電源線ＤＳＬ、・・・）である。さらに、複数の電源線ＤＳＬｂは、例えば、奇数番目の電源線ＤＳＬ（上から１番目の電源線ＤＳＬ、３番目の電源線ＤＳＬ、・・・）である。なお、複数の電源線ＤＳＬａは、奇数番目の電源線ＤＳＬであってもよい。このとき、複数の電源線ＤＳＬｂは、偶数番目の電源線ＤＳＬであってもよい。
【手続補正７】
【補正対象書類名】明細書
【補正対象項目名】００６３
【補正方法】変更
【補正の内容】
【００６３】
各信号線ＤＴＬは、水平セレクタ３１の出力端に接続されている。各走査線ＷＳＬは、ライトスキャナ３２の出力端に接続されている。各電源線ＤＳＬａは、第１電源２３Ａの出力端に接続されている。各電源線ＤＳＬｂは、第２電源２３Ｂの出力端に接続されている。
【手続補正８】
【補正対象書類名】明細書
【補正対象項目名】００６９
【補正方法】変更
【補正の内容】
【００６９】
図１６は、本適用例に係る電子機器２の概略構成例を表したものである。電子機器２は、例えば、折りたたみ可能な２枚の板状の筐体のうちの一方の筐体の主面に表示面２Ａを備えたノート型のパーソナルコンピュータである。電子機器２は、上記実施の形態等の表示装置１を備えており、例えば、表示面２Ａの位置に表示パネル１０を備えている。本適用例では、表示装置１が設けられているので、表示面２Ａの周囲に設けられたフレームが狭額縁となっている。